(57)【特許請求の範囲】
【請求項１】
本体ケース内に開口部が設けられ、開口部を覆うようにカメラカバーが取り付けられているとともに、カメラカバーの後方に本体ケースの前方を撮像する撮像手段が設置されたインターホン機器であって、
前記撮像手段は、レンズ部と、円板状の鏡枠抑え部を有するとともに、前記鏡枠抑え部に前記レンズ部を露出させる開口を開設してなるレンズホルダーとを備えており、
前記鏡枠抑え部の前面に、周方向外側へ向かうにつれ後方側へ傾斜するテーパ面を、前記開口の縁から連続的に設けたことを特徴とするインターホン機器。
【請求項２】
前記カメラカバーが平板状であり、前記レンズ部の前面と前記カメラカバーとの水平距離が３．０〜４．０ｍｍであるとともに、
前記テーパ面の鉛直方向からの傾斜角度が７．５度以上であることを特徴とする請求項１に記載のインターホン機器。
【請求項３】
前記カメラカバーがドーム状であり、前記レンズ部の前面と前記カメラカバーとの水平距離が３．５〜５．０ｍｍであるとともに、
前記テーパ面の鉛直方向からの傾斜角度が３．６６度以上であることを特徴とする請求項１に記載のインターホン機器。
【請求項４】
前記テーパ面に凹凸が設けられていることを特徴とする請求項１〜３の何れかに記載のインターホン機器。
【発明の詳細な説明】
【技術分野】
【０００１】
本発明は、たとえば来訪者等を撮像するための撮像手段を備えたインターホン機器に関するものである。
【背景技術】
【０００２】
従来、たとえば特許文献１に開示されている玄関子機のように、本体ケース内にカメラを内蔵し、来訪者が呼び出し操作した際に当該来訪者をカメラにより撮像するように構成した種々のインターホン機器が考案されている。そして、このカメラで撮像された映像は、たとえばカメラを有するインターホン機器と通話可能に接続された別のインターホン機器（居室親機等）のモニターにおいて表示されることになる。
【０００３】
ここで、図８をもとに、従来のインターホン機器のカメラ部分における構造を簡略に説明する。
８１は、ドーム状のカメラカバーであり、インターホン機器の本体ケース８２前面に取り付けられている。また、カメラカバー８１の後方に、カメラがレンズ部８３を前方へ向けた姿勢で設けられている。レンズ部８３は、筒状のレンズホルダー８４に支持されており、該レンズホルダー８４の前部には、レンズ部８３の周縁から径方向外側へ延びる鍔状の鏡枠抑え部８５が設けられている。そして、鏡枠抑え部８５の前面は、撮像時に映り込まないように、レンズ部８３を水平方向とした際に光軸と直交する鉛直面８５ａとして形成されている。
【先行技術文献】
【特許文献】
【０００４】
【特許文献１】特開２０１０−１９９９３１号公報
【発明の概要】
【発明が解決しようとする課題】
【０００５】
しかしながら、上記従来のインターホン機器においては、カメラに対して太陽等の強力な光源から発せられる直射光がカメラカバー８１から本体ケース８２内側へ入射すると、図８に示す如く、カメラカバ−８１とレンズホルダー８４の前面（鉛直面８５ａ）との間で反射した結果、レンズ部８３を介してカメラの撮像素子に到達してしまい、モニターで映像を視認する際に、視認性悪化の原因となるゴーストやフレアが発生してしまうという問題があった。
【０００６】
そこで、本発明は、上記問題に鑑みなされたものであって、強力な光源から発せられる直射光がカメラカバーから入射したとしてもゴーストやフレアの発生を抑制することができるインターホン機器を提供しようとするものである。
【課題を解決するための手段】
【０００７】
上記目的を達成するために、本発明のうち請求項１に記載の発明は、本体ケース内に開口部が設けられ、開口部を覆うようにカメラカバーが取り付けられているとともに、カメラカバーの後方に本体ケースの前方を撮像する撮像手段が設置されたインターホン機器であって、撮像手段は、レンズ部と、円板状の鏡枠抑え部を有するとともに、鏡枠抑え部にレンズ部を露出させる開口を開設してなるレンズホルダーとを備えており、鏡枠抑え部の前面に、周方向外側へ向かうにつれ後方側へ傾斜するテーパ面を、開口の縁から連続的に設けたことを特徴とする。
この構成によれば、レンズホルダーの鏡枠抑え部の前面に、周方向外側へ向かうにつれ後方側へ傾斜するテーパ面を、開口の縁から連続的に設けているため、テーパ面のないものと比較して、カメラホルダーから入射した入射光がレンズ部から離れる方向へ反射することになる。そのため、従来よりもレンズ部を介して撮像手段の撮像素子等へ到達する入射光を減らすことができる。したがって、ゴーストやフレアの発生を抑制することができ、モニターにおける視認性を良好な状態で確保することができる。
【０００９】
請求項２に記載の発明は、請求項１に記載の発明において、カメラカバーが平板状であり、レンズ部の前面とカメラカバーとの水平距離が３．０〜４．０ｍｍであるとともに、テーパ面の鉛直方向からの傾斜角度が７．５度以上であることを特徴とする。
また、請求項３に記載の発明は、請求項１に記載の発明において、カメラカバーがドーム状であり、レンズ部の前面とカメラカバーとの水平距離が３．５〜５．０ｍｍであるとともに、テーパ面の鉛直方向からの傾斜角度が３．６６度以上であることを特徴とする。
これらの構成によれば、レンズ部を介して撮像手段の撮像素子等へ到達する事態を極めて確実に防止することができ、ゴーストやフレアの発生の確実な防止を期待することができる。
【００１０】
請求項４に記載の発明は、請求項１〜３に記載の発明において、テーパ面に凹凸が設けられていることを特徴とする。
この構成によれば、テーパ面において入射光を乱反射させることができるため、レンズ部を介して撮像手段の撮像素子等へ到達する入射光を効率良く減らすことができ、ゴーストやフレアの発生を一層効果的に抑制することができる。
【発明の効果】
【００１１】
本発明によれば、レンズホルダーの鏡枠抑え部の前面に、周方向外側へ向かうにつれ後方側へ傾斜するテーパ面を、開口の縁から連続的に設けているため、テーパ面のないものと比較して、カメラホルダーから入射した入射光がレンズ部から離れる方向へ反射することになる。そのため、従来よりもレンズ部を介して撮像手段の撮像素子等へ到達する入射光を減らすことができる。したがって、ゴーストやフレアの発生を抑制することができ、モニターにおける視認性を良好な状態で確保することができる。
【図面の簡単な説明】
【００１２】
【図１】玄関子機を前方から示した説明図である。
【図２】玄関子機の上部の上下方向での断面を示した説明図である。
【図３】図２のカメラユニット部分を拡大して示した説明図である。
【図４】鏡枠抑え部材を前方から示した斜視説明図である。
【図５】鏡枠抑え部材を上方から示した説明図である。
【図６】鏡枠抑え部材の第１変更例を示した斜視説明図である。
【図７】鏡枠抑え部材の第２変更例を示した斜視説明図である。
【図８】従来のインターホン機器のカメラ部分における構造を示した断面説明図である。
【発明を実施するための形態】
【００１３】
以下、本発明の一実施形態となる玄関子機について、図面にもとづき詳細に説明する。
【００１４】
図１は、玄関子機１を前方から示した説明図であり、図２は、玄関子機１の上部の上下方向での断面を示した説明図である。尚、図２における右方が玄関子機１の前方となっている。
玄関子機１は、前側に配置される前ケース２と、後側に配置される後ケース３とで構成される本体ケースを有しており、この本体ケースの前面上部には、平板状のカメラカバー４が貼着されているとともに、カメラカバー４の後方に本体ケースの前方を撮像するためのカメラユニット５が設置されている。また、カメラカバー４の右側には、通話のためのマイク部６が設けられている。さらに、本体ケースの前面下部には、来訪者が居住者を呼び出す際に操作する呼出ボタン７と、通話のためのスピーカ部８が設けられている。そして、このような玄関子機１は、住戸の玄関の壁面等に設置されており、来訪者によって呼出ボタン７が操作されると、住戸内に設置されている居室親機（図示せず）を呼び出すとともに、カメラユニット５を作動させて来訪者を撮像する。尚、カメラユニット５により撮像された映像は、居室親機に備えられているモニターに表示される。
【００１５】
ここで、本発明の要部となるカメラユニット５について、図２〜図５をもとに説明する。図３は、図２のカメラユニット５部分を拡大して示した説明図である。図４は、カメラユニット５を構成する鏡枠抑え部材１６を前方から示した斜視説明図であり、図５は、鏡枠抑え部材１６を上方から示した説明図である。
カメラユニット５は、撮像素子（図示せず）を有する回路基板に設けられたレンズ部１２を有するカメラと、レンズ部１２を支持するレンズホルダー１１と、カメラの後方を覆うように取り付けられるチルトレバー１４とからなる。レンズホルダー１１は、レンズ部１２を支持するための円筒状の支持部１５を有する支持部材、及び中央に開口１６ｃを有する円板状の前面１６ａと、該前面１６ａから後方へ一体的に延設された周面１６ｂとを有する鏡枠抑え部材１６を前後で組み付けてなる。支持部１５は、その内部にレンズ部１２の後部を収納した状態で支持可能に構成されるものであって、支持部１５の前端は開口しており、収納したレンズ部１２の前部を前方へ突出させた状態で支持可能としている。また、鏡枠抑え部材１６の前面１６ａは、従来と異なり、レンズホルダー１１を本体ケース内への設置状態においてレンズ部１２が水平前方を向くような姿勢とした際に、鉛直方向に対して後方へ傾斜する傾斜面として形成されており、この鉛直方向からの傾斜角度は７．５度となっている。さらに、鏡枠抑え部材１６の開口１６ｃ縁から後方へは、レンズ部１２の前部を嵌入させた状態で支持する支持壁が設けられており、レンズ部１２は、上記支持部材及び鏡枠抑え部材１６により支持された状態で開口１６ｃから露出することになる。加えて、鏡枠抑え部材１６の周面１６ｂから左右外側へは、一対の軸部１７が突設されている。尚、レンズホルダー１１は、ＡＢＳ樹脂により成形されており、特に鏡枠抑え部１６の表面には、光を反射しにくくするためのコーティング処理が施されている。また、前面１６ａは開口１６ｃ縁から外周縁にわたって傾斜する傾斜面となっている。
【００１６】
そして、上記レンズホルダー１１は、前ケース２に設けられた筒状の開口部１８の内周面に鏡枠抑え部材１６の周面１６ｂを当接させた状態で、前ケース２に設けられた軸支部（図示せず）に軸部１７、１７を軸支させることにより、チルト角度を調整可能に取り付けられる。このとき、レンズホルダー１１に収納されているレンズ部１２前面と、開口部１８を覆うように前ケース２の前面に貼着されているカメラカバー４との水平距離は略３．５ｍｍとなっている。また、レンズホルダー１１の後方には、チルトレバー１４が一体的に組み付けられる。該チルトレバー１４は、その一部（突起部１９）を後ケース３の操作窓（図示せず）から突出させた状態で取り付けられ、作業者は、操作窓から突出する突起部１９を摘んで上下方向へ操作することにより、レンズホルダー１１、ひいてはカメラのチルト角度を調整することになる。
【００１７】
このようなレンズホルダー１１を有する玄関子機１に対し、太陽等の強力な光源から発せられる直射光がカメラカバー４から入射してくると、従来同様、その入射光は鏡枠抑え部１６の前面１６ａで反射する。しかしながら、前面１６ａが上述したようなテーパ面として形成されているため、前面１６ａで反射した光は従来よりもレンズ部１２から離れる方向へ反射する。そして、最終的には、図３に示すような経路をたどり、レンズ部１２を介してカメラの撮像素子へは到達しない。つまり、前面１６ａを上述したようなテーパ面として形成したことにより、入射光がレンズ部１２を介してカメラの撮像素子へ略到達しないようになっている。したがって、ゴーストやフレアの発生を防止することができ、居室親機のモニターにおける視認性を良好な状態で確保することができる。
【００１８】
なお、本発明に係るインターホン機器は、上記実施形態の態様に何ら限定されるものではなく、インターホン機器全体の構成は勿論、レンズホルダーに係る構成に関しても、本発明の趣旨を逸脱しない範囲で、必要に応じて適宜変更することができる。
【００１９】
たとえば、上記実施形態では、カメラカバーとして平板状のカメラカバー４を採用しているが、従来技術として示した図８同様に、ドーム状のカメラカバーを採用することも可能である。ドーム状のカメラカバーを採用すると、平板状のカメラカバー４を採用した場合よりもレンズ部１２の前面とカメラカバーとの水平距離が長くなる（略３．７ｍｍ）ため、鏡枠抑え部材１６の前面１６ａの鉛直方向からの傾斜角度については、３．６６度以上あればよい。尚、傾斜角度が３．６６度以上となる前面を有する鏡枠抑え部材により、効果的なゴーストやフレアの発生防止を期待するには、レンズ部１２の前面とカメラカバーとの水平距離を３．５〜５．０ｍｍとすればよい。
【００２０】
また、レンズホルダーの鏡枠抑え部材についても、上記実施形態のものではなく、たとえば図６や図７に示すような鏡枠抑え部材３１、３２を採用することも可能である。図６に示す鏡枠抑え部材３１では、前面３１ａを上記実施形態の如くテーパ面とした上で、更に径方向に沿って溝を刻設し、前面３１ａ上に凹凸を設けている。一方、図７に示す鏡枠抑え部材３２では、前面３２ａを上記実施形態の如くテーパ面とした上で、更に周方向に沿って溝を刻設し、鏡枠抑え部材３１同様、前面３２ａ上に凹凸を設けている。そして、このような鏡枠抑え部材３１、３２を用いることで、カメラカバー４からの入射光が鏡枠抑え部材３１、３２の前面３１ａ、３２ａで様々な方向へ乱反射するため、一層レンズ部１２を介して撮像素子へと一層到達しづらくなり、ゴーストやフレアの発生を更に効果的に防止することができる。尚、溝の深さについては適宜変更可能であって、３ｍｍ程度でよい。
【００２１】
さらに、テーパ状に形成された前面にメッシュ加工を施したり、植毛したりすることにより、鏡枠抑え部材の前面での光の反射が更に抑制されるため、更なるゴーストやフレアの発生防止効果を期待することができる。
さらにまた、上記実施形態では、鏡枠抑え部材１６の前面１６ａの傾斜角度を７．５度としているが、７．５度以上であれば何度とするかは設計変更可能であるし、平板状のカメラカバー４とレンズ部１２の前面との水平距離が３．０〜４．０ｍｍであれば、傾斜角度が７．５度以上となる前面を有する鏡枠抑え部材により、効果的なゴーストやフレアの発生防止を期待することができる。
【００２２】
また、上記実施形態では、鏡枠抑え部材１６の前面１６ａ全てをテーパ面としているが、少なくとも前面１６ａの径方向における一部幅がテーパ面として周設されていれば一定の効果を奏することができる。とは言うものの、上記実施形態の如く、テーパ面を開口１６ｃ縁から連続的に形成した構成の方が、レンズ部１２の近くにおいて入射光をレンズ部１２から離れる方向へ反射させることができるため、より高いゴーストやフレアの発生防止効果を期待することができる。さらに、上記実施形態では、支持部１５を有する支持部材と鏡枠抑え部材１６とを前後で組み合わせてレンズホルダー１１を構成しているが、そのような２つの部材を組み合わせてなるレンズホルダー１１に代えて、両部を一体的に有する１つの部材からなるレンズホルダーを採用してもよい。
加えて、インターホン機器の一例である玄関子機１について説明しているが、本発明のインターホン機器は、カメラを内蔵しているのであれば、住戸内に設置される居室親機や電話機器、集合住宅インターホンシステムを構成する集合玄関機等の他のインターホン機器に対しても良好に適用することができる。
【符号の説明】
【００２３】
１・・玄関子機（インターホン機器）、２・・前ケース（本体ケース）、３・・後ケース（本体ケース）、４・・カメラカバー、５・・カメラユニット、１１・・レンズホルダー、１２・・レンズ部、１５・・支持部、１６、３１、３２・・鏡枠抑え部材（鏡枠抑え部）、１６ａ、３１ａ、３２ａ・・前面（テーパ面）、１６ｂ・・周面、１６ｃ・・開口、１７・・軸部、１８・・開口部。
【図１】
0005583624.tif 000002
【図２】
0005583624.tif 000003
【図３】
0005583624.tif 000004
【図４】
0005583624.tif 000005
【図５】
0005583624.tif 000006
【図６】
0005583624.tif 000007
【図７】
0005583624.tif 000008
【図８】
0005583624.tif 000009